(57)【要約】【課題】機械式解錠キーを金属材料により形成しても、通信性能の劣化を防止するとともに、機械式解錠キーの使い勝手も低下させることのない携帯型通信端末装置の提供を目的とする。【解決手段】板材により形成される機械式解錠キー１をキー保持部２に着脱自在に保持した携帯型通信端末装置であって、  前記機械式解錠キー１には、表裏面間を斜めに横断してシリンダ錠への挿入部３に対する反対端から挿入部３に向けて切り込まれるスリット５が設けられるとともに、キー保持部２には、前記機械式解錠キー１の支承面からスリット５に沿って斜め方向に突設される嵌合突部６が設けられ、  前記機械式解錠キー１は、スリット５を嵌合突部６に嵌合させて板厚方向への移動が規制される。【選択図】  図１
2013185408.tif 000002
【特許請求の範囲】
【請求項１】
板材により形成される機械式解錠キーをキー保持部に着脱自在に保持した携帯型通信端末装置であって、
前記機械式解錠キーには、表裏面間を斜めに横断してシリンダ錠への挿入部に対する反対端から挿入部に向けて切り込まれるスリットが設けられるとともに、キー保持部には、前記機械式解錠キーの支承面からスリットに沿って斜め方向に突設される嵌合突部が設けられ、
前記機械式解錠キーは、スリットを嵌合突部に嵌合させて板厚方向への移動が規制される携帯型通信端末装置。
【請求項２】
前記機械式解錠キーは、キー保持部上での幅方向、および長手方向の移動が規制されることによりスリットと嵌合突部との嵌合が維持されて所定位置に保持される請求項１記載の携帯型通信端末装置。
【請求項３】
前記スリットは、硬貨が非直交角度で交差して適宜深さ噛み合わせ可能に形成される請求項１または２記載の携帯型通信端末装置。
【請求項４】
前記キー保持部が、携帯型通信端末装置本体の表層部に着脱自在に装着される保護ケースに形成される請求項１、２または３記載の携帯型通信端末装置。
【請求項５】
シリンダ錠に挿入して該シリンダ錠を回転操作する挿入部を一端に備えて板状に形成され、携帯型通信端末装置に保持される機械式解錠キーであって、
表裏面間を斜めに横断してシリンダ錠への挿入部に対する反対端から挿入部に向けて切り込まれたスリットを有し、
該スリットを、携帯型通信端末装置のキー支承面から斜め方向に突設される嵌合突部に嵌合させて板厚方向への移動が規制される機械式解錠キー。
【請求項６】
柔軟材料により形成され、携帯型通信端末装置本体に装着されて該携帯通信端末装置本体を保護する保護ケースであって、
シリンダ錠に挿入して該シリンダ錠を操作する挿入部を一端部に備え、表裏面間を斜めに横断してシリンダ錠への挿入部に対する反対端から挿入部に向けてスリットが切り込まれて板状に形成される機械式解錠キーを支承して保持するキー保持部と、
機械式解錠キーのキー保持部上での並進移動を規制する規制突部とを有し、
前記キー保持部には、機械式解錠キーの支承面から斜め方向に突出してスリットに嵌合して機械式解錠キーのキー保持部からの浮き上がり方向の移動を規制する嵌合突部が設けられる携帯型通信端末用保護ケース。
【発明の詳細な説明】
【技術分野】
【０００１】
本発明は、携帯型通信端末装置に関するものである。
【背景技術】
【０００２】
車両、あるいは家屋に取り付けられたシリンダ錠を解錠するための解錠キーを紛失した場合、あるいは車両等を電子キーにより施解錠操作している場合の電子キーの故障、バッテリ上がり等に対処するために用意される機械式解錠キーを着脱自在に装着することのできる携帯型通信端末装置としては、特許文献１に記載のものが知られている。
【０００３】
この従来例において、機械式解錠キーは、シリンダ錠に挿入した際の摘み部となる把持部を側方に突出させて平面視Ｌ字形状に形成され、携帯電話のバッテリー蓋に凹設された収容部に収容される。収容部には、適宜の係止爪が設けられて収容部からの機械式解錠キーの脱離が規制される。
【先行技術文献】
【特許文献】
【０００４】
【特許文献１】特開２００７-８５０２８号公報
【発明の概要】
【発明が解決しようとする課題】
【０００５】
しかし、上述した従来例において、一般に機械式解錠キーは導電性を有する金属材料により形成されているために、キー操作用として側方に突出する把持部を有してＬ字形状に形成される機械式解錠キーは単純なＩ字形状のものに比して電磁シールドによる通信性能への悪影響が大きくなる虞がある。
【０００６】
一方、機械式解錠キーの保持による電波障害への影響を少なくするために、機械式解錠キーをＩ字形状とすると、解錠キーに回転トルクを加えるのが困難になり、使い勝手が悪くなるという問題が発生する。
【０００７】
本発明は、以上の欠点を解消すべくなされたものであって、機械式解錠キーを金属材料により形成しても、通信性能の劣化を防止するとともに、機械式解錠キーの使い勝手も低下させることのない携帯型通信端末装置の提供を目的とする。
【課題を解決するための手段】
【０００８】
本発明によれば上記目的は、
板材により形成される機械式解錠キー１をキー保持部２に着脱自在に保持した携帯型通信端末装置であって、
前記機械式解錠キー１には、表裏面間を斜めに横断してシリンダ錠への挿入部３に対する反対端から挿入部３に向けて切り込まれるスリット４が設けられるとともに、キー保持部２には、前記機械式解錠キー１の支承面からスリット４に沿って斜め方向に突設される嵌合突部６が設けられ、
前記機械式解錠キー１は、スリット４を嵌合突部６に嵌合させて板厚方向への移動が規制される携帯型通信端末装置を提供することにより達成される。
【０００９】
機械式解錠キー１は、シリンダ錠への挿入部３の反対端から挿入部３に向けてスリット５を切り込んで形成される。スリット５は挿入部３の反対端に開放されているために、適宜の板状部材を差し込むことができ、この状態で、差し込まれた板材を操作頭部として利用することができるため、操作性が低下することはない。
【００１０】
また、スリット５は、表裏面間を斜めに横断するように形成され、板状部材は機械式解錠キー１に対して非直交角度で交差するように嵌合するために、板厚方向線に平行にスリット５を形成する場合に比して壁面の長さが長くなる。この結果、板状部材を嵌合させた状態での板状部材とスリット５の壁面との接触面積が大きくなるために、板状部材を使用して機械式解錠キー１を操作したときにスリット５を痛めることがなくなる。
【００１１】
さらに、機械式解錠キー１は、キー保持部２から突設される嵌合突部６にスリット５を嵌合させることにより支承面に対して鉛直上方への浮き上がり変位が規制されているために、浮き上がり方向への移動を抑えるための特別な手段を設ける必要がなくなり、あるいは設ける場合でも簡易的なもので足りるために、構造が簡単になる。
【００１２】
この場合、
前記機械式解錠キーは、キー保持部上での幅方向、および長手方向の移動が規制されることによりスリットと嵌合突部との嵌合が維持されて所定位置に保持される携帯型通信端末装置を構成すことができる。
【００１３】
キー保持部２は、バッテリ収容部の蓋部等、携帯型通信端末装置の本体部内に形成することも可能であるが、
前記キー保持部２が、携帯型通信端末装置本体７の表層部に着脱自在に装着される保護ケース８に形成することもできる。
【００１４】
以上の携帯型通信端末装置には、
シリンダ錠に挿入して該シリンダ錠を回転操作する挿入部３を一端に備えて板状に形成され、携帯型通信端末装置に保持される機械式解錠キー１であって、
表裏面間を斜めに横断してシリンダ錠への挿入部３に対する反対端から挿入部３に向けて切り込まれたスリット５を有し、
該スリット５を、携帯型通信端末装置のキー支承面から斜め方向に突設される嵌合突部６に嵌合させて板厚方向への移動が規制される機械式解錠キー１、
および、
柔軟材料により形成され、携帯型通信端末装置本体に装着されて該携帯通信端末装置本体を保護する保護ケース８であって、
シリンダ錠に挿入して該シリンダ錠を操作する挿入部３を一端部に備え、表裏面間を斜めに横断してシリンダ錠への挿入部３に対する反対端から挿入部３に向けてスリット５が切り込まれて板状に形成される機械式解錠キー１を支承して保持するキー保持部２と、
機械式解錠キー１のキー保持部２上での並進移動を規制する規制突部９とを有し、
前記キー保持部２には、機械式解錠キー１の支承面から斜め方向に突出してスリット５に嵌合して機械式解錠キー１のキー保持部２からの浮き上がり方向の移動を規制する嵌合突部６が設けられる携帯型通信端末用保護ケースが使用できる。
【発明の効果】
【００１５】
本発明によれば、通信性能の劣化を防止するとともに、機械式解錠キーの使い勝手も低下させることもない。
【図面の簡単な説明】
【００１６】
【図１】本発明を示す図で、（ａ）は携帯型通信端末装置本体に保護ケースを装着する状態を示す斜視図、（ｂ）は保護ケースに機械式解錠キーを装着する状態を示す斜視図である。
【図２】機械式解錠キーの装着状態を示す図で、（ａ）は平面図、（ｂ）は（ａ）の２Ｂ線断面図、（ｃ）は保護ケースを変形性させて機械式解錠キーを装着する状態を示す断面図である。
【図３】機械式解錠キーの使用状態を示す図で、（ａ）はスリットに硬貨を差し込む状態を示す斜視図、（ｂ）はスリットに硬貨を差し込んだ状態を示す斜視図、（ｃ）は（ｂ）の断面図である。
【発明を実施するための形態】
【００１７】
図１以下にスマートフォンとして構成された本発明の実施の形態を示す。図１（ａ）に示すように、スマートフォンは、ディスプレイ部７ａを備えた装置本体（携帯型通信端末装置本体７）と、装置本体７への傷の発生、あるいは落下時の衝撃による破損を防ぐために装置本体７に着脱自在に装着される保護ケース８とから構成され、保護ケース８には機械式解錠キー１が取り外し自在に保持される。
【００１８】
機械式解錠キー１は、車両、あるいは家屋のドアに取り付けられたシリンダ錠を操作するための非常用解錠キーとして使用されるもので、シリンダ錠は、主錠として、あるいは電気錠を主錠とする場合の非常解錠手段として用意される。主錠が電気錠の場合、装置本体７には、電気錠に施解錠操作権限を認証するための認証コード発信手段を組み込むことができる。
【００１９】
機械式解錠キー１は、真鍮等の金属板材により形成され、一端部に上記シリンダ錠への挿入部３が設けられる。挿入部３には、適数のコード形成凹部３ａが形成され、コード形成凹部３ａが合致するシリンダ錠を操作することができる。
【００２０】
また、機械式解錠キー１は回転操作するための操作端、すなわち、挿入部３の反対端部に特別な摘み部を設けることなく平面視ほぼ「Ｉ」字形状に形成される。一般に機械式解錠キー１の操作端には、操作性を考慮して、モールディングにより、あるいは面積を増加させ、また、上述した従来例のように、側方への突出部を設けて摘み部が設定されるが、摘み部を省略することにより、収容スペースの増大、装置本体７の通信性能を劣化が防止される。
【００２１】
摘み部が設定されない機械式解錠キー１の操作性を確保するために、機械式解錠キー１の操作端には、機械式解錠キー１の回転操作中心線に沿って適宜深さのスリット５が設けられる。
【００２２】
スリット５は、図２に示すように、機械式解錠キー１の表裏面に対して非直交角度で交差して一端が操作端に開放される。このスリット５の幅方向寸法（ＷＳ）は、１０円硬貨４等の硬貨４の厚み寸法（ＴＣ）よりやや大寸に形成されており、図３に示すように、挿入部３をシリンダ錠に挿入した状態でスリット５に硬貨４を嵌合させることにより該硬貨４を摘み部として機械式解錠キー１に回転操作を加えることができる。
【００２３】
一方、保護ケース８は、シリコンゴム等の柔軟な材料により形成され、底壁８ａの外周から立ち上がり壁８ｂを立ち上げてトレイ形状に形成され、底壁８ａにキー保持部２が設けられる。
【００２４】
キー保持部２は、上記機械式解錠キー１を水平姿勢で支承可能な凹部として形成される。キー保持部２の幅寸法、長さ寸法、および深さ寸法は、各々機械式解錠キー１の幅寸法、長さ寸法、厚み寸法にほぼ一致しており、図１、２に示すように、キー保持部２内に機械式解錠キー１を嵌合させることにより凹部の側壁が規制突部９として作用し、機械式解錠キー１の側方、および長手方向への移動を規制することができる。
【００２５】
また、キー保持部２の底面には嵌合突部６が一体に形成される。嵌合突部６は、図１（ｂ）に示すように、長さが上記機械式解錠キー１のスリット５の長さにほぼ等しく形成されるとともに、図２（ｂ）、（ｃ）に示すように、底面に対する突出方向、および突出高さが機械式解錠キー１のスリット５の厚み方向に対する斜行角度、および板厚寸法にほぼ一致するように形成される。
【００２６】
したがって、この実施の形態において、保護ケース８への機械式解錠キー１の取り付けは、まず、図２（ｃ）に示すように、一旦保護ケース８をその弾性を利用して折り曲げ、アンダーカット状態を解消した後、機械式解錠キー１のスリット５に嵌合突部６を嵌合させて行われる。嵌合状態において、機械式解錠キー１は、キー保持部２の壁面により長手方向、すなわち、図２（ａ）において矢印Ａ方向の移動が規制されるために、嵌合突部６に沿った移動に伴う嵌合解除が規制され、嵌合状態が維持される。
【００２７】
また、図２（ｃ）の状態において、機械式解錠キー１は、挿入方向、すなわち、図２（ａ）における矢印Ｂ方向への自由度を有するが、弾性復元して図２（ｂ）の状態になると、規制突部９により機械式解錠キー１の幅方向への移動を規制されるために、矢印Ｂ方向への移動も規制され、結果、機械式解錠キー１は浮き上がり方向への移動も規制されて保持状態が維持される。
【００２８】
なお、以上において、キー保持部２に嵌合突部６と、並進移動をする側壁のみを設けた場合が示されているが、これらに加えて補助的な係止手段を設けることもできる。  
【符号の説明】
【００２９】
１        機械式解錠キー
２        キー保持部
３        挿入部
４        硬貨
５        スリット
６        嵌合突部
７        携帯型通信端末装置本体
８        保護ケース
９        規制突部
【図１】
2013185408.tif 000003
【図２】
2013185408.tif 000004
【図３】
2013185408.tif 000005